(57)【要約】【課題】大型の平面ディスプレイを壁面に近づけても干渉する虞がなく、部屋のスペースを広くすることができる平面ディスプレイの回動装置を提供する。【解決手段】ベースに植設固定された基準シャフトと、該基準シャフトに対して自由に回転できるように枢支されると共に、適宜回転駆動手段により回転駆動されるクラッチプレートと、上記基準シャフトに取付固定される基準ギヤと、上記クラッチプレートに回転自在に取り付けられると共に、上記基準ギヤの周囲を転動するように噛み合わされたアイドルギヤと、該アイドルギヤに噛み合わされると共に、上記クラッチプレートに回転自在に取り付けられ、上記基準ギヤの回りを公転しながら自転し、上記支持軸を介して平面ディスプレイを保持する自転出力ギヤから構成される。【選択図】        図２
2007271933.tif 000002
【特許請求の範囲】
【請求項１】
ベースに支持軸を介して支持される平面ディスプレイを左右水平方向に回動せしめる回動装置において、上記ベースに植設固定された基準シャフトと、該基準シャフトに対して自由に回転できるように枢支されると共に、適宜回転駆動手段により回転駆動されるクラッチプレートと、上記基準シャフトに取付固定される基準ギヤと、上記クラッチプレートに回転自在に取り付けられると共に、上記基準ギヤの周囲を転動するように噛み合わされたアイドルギヤと、該アイドルギヤに噛み合わされると共に、上記クラッチプレートに回転自在に取り付けられ、上記基準ギヤの回りを公転しながら自転し、上記支持軸を介して平面ディスプレイを保持する自転出力ギヤから構成されることを特徴とする平面ディスプレイの回動装置。
【請求項２】
上記回転駆動手段が、電動モータと、この出力回転を減速する減速歯車列から構成されることを特徴とする請求項１に記載の平面ディスプレイの回動装置。
【請求項３】
上記クラッチプレートが、上記回転駆動手段により回転駆動される公転出力ギヤ上に摩擦接触状態で載置されることを特徴とする請求項１または２に記載の平面ディスプレイの回動装置。
【請求項４】
上記基準ギヤと自転出力ギヤの歯数差分を変更可能とすることを特徴とする請求項１、２または３に記載の平面ディスプレイの回動装置。
【発明の詳細な説明】
【技術分野】
【０００１】
本発明は、液晶ディスプレイやプラズマディスプレイなどの平面ディスプレイの回動装置に関するものである。
【背景技術】
【０００２】
従来の平面ディスプレイの回動装置としては、図５に示すように、左右水平方向に回動させると、後ろに壁Ｗがある場合に、これに平面ディスプレイＤの端部が干渉してしまい、これを避けるために、ベースＢを予め手前に出しておかなければならず、それだけ部屋のスペースが狭くなるという欠点があった。特に、大型の平面ディスプレイでは、特に、この問題が深刻化してきている。
この種の公知文献としては、特許文献１および２が挙げられる。
【特許文献１】特開２００４−２５８０５５号公報
【特許文献２】特開２００４−３０４６７９号公報
【発明の開示】
【発明が解決しようとする課題】
【０００３】
本発明が解決しようとする課題は、大型の平面ディスプレイを壁面に近づけても干渉する虞がなく、部屋のスペースを広くすることができる平面ディスプレイの回動装置を提供することにある。
【課題を解決するための手段】
【０００４】
本発明の平面ディスプレイの回動装置は、ベースに支持軸を介して支持される平面ディスプレイを左右水平方向に回動せしめる回動装置において、上記ベースに植設固定された基準シャフトと、該基準シャフトに対して自由に回転できるように枢支されると共に、適宜回転駆動手段により回転駆動されるクラッチプレートと、上記基準シャフトに取付固定される基準ギヤと、上記クラッチプレートに回転自在に取り付けられると共に、上記基準ギヤの周囲を転動するように噛み合わされたアイドルギヤと、該アイドルギヤに噛み合わされると共に、上記クラッチプレートに回転自在に取り付けられ、上記基準ギヤの回りを公転しながら自転し、上記支持軸を介して平面ディスプレイを保持する自転出力ギヤから構成されることを特徴とする。また、上記回転駆動手段が、電動モータと、この出力回転を減速する減速歯車列から構成されることを特徴とする。さらに、上記クラッチプレートが、上記回転駆動手段により回転駆動される公転出力ギヤ上に摩擦接触状態で載置されることを特徴とする。又更に、上記基準ギヤと自転出力ギヤの歯数差分を変更可能とすることを特徴とする。
【発明の効果】
【０００５】
本発明の平面ディスプレイの回動装置は、大型の平面ディスプレイを壁面に近づけても干渉する虞がなく、部屋のスペースを広くすることができる利点がある。
【発明を実施するための最良の形態】
【０００６】
図１は、本発明装置の一実施例を示す平面図（Ａ）および正面図（Ｂ）であって、１はベース、２は支持軸３を介して回動自在に支持される平面ディスプレイである。
【０００７】
図２および図３は、上記ベース１内に組み込まれた回動装置を示すもので、電動モータ４と、減速歯車列５と、公転出力ギヤ６と、クラッチプレート７と、基準シャフト７ａと、基準ギヤ８と、アイドルギヤ９と、自転出力ギヤ１０と、出力シャフト１０ａから構成されている。
【０００８】
上記電動モータ４の回転は、上記減速歯車列５により大きく減速されて公転出力ギヤ６を回転駆動する。
【０００９】
上記公転出力ギヤ６上には、クラッチプレート７が摩擦接触状態で載置されていて、公転出力ギヤ６の回転に伴って回転するようになっている。該クラッチプレート７に過負荷が掛かると、スリップして公転出力ギヤ６が空回りするようになっている。上記摩擦接触の接触圧力は、必要に応じて調整できるようにしてもよい。
【００１０】
上記ベース１には基準シャフト７ａが植設固定されている。上記クラッチプレート７は上記基準シャフト７ａに対して自由に回転できるように枢支されている。上記基準シャフト７ａには基準ギヤ８が取付固定されている。該基準ギヤ８の周囲にはアイドルギヤ９が転動するように噛み合っている。該アイドルギヤ９は、上記クラッチプレート７に自由に回転するように枢着されている。
【００１１】
１０は自転出力ギヤであって、上記アイドルギヤ９に噛み合わされると共に、上記クラッチプレート７に回転自在に取り付けられている。該自転出力ギヤ１０は、上記クラッチプレート７の回転に伴って、上記基準ギヤの回りを公転しながら自転するようになっている。上記自転出力ギヤ１０は、上記支持軸３を介して平面ディスプレイ２を保持している。
【００１２】
本実施例の装置は、以上のように構成されているので、上記クラッチプレート７が回転すると、これに回転自在に枢着された出力シャフト１０ａが、アイドルギヤ９を介して自転すると共に、上記基準ギヤ８（基準シャフト７ａ）の回りを公転する。この際、上記アイドルギヤ９の歯数に関係なく、基準ギヤ８と自転出力ギヤ１０の歯数差分に応じて、自転速度が決まる。例えば、基準ギヤ８の歯数が１８枚、自転出力ギヤ１０の歯数が２０枚であれば、自転出力ギヤ１０が１公転すると２歯分の角度だけ自転する。このように、基準ギヤ８と自転出力ギヤ１０の歯数を変えるだけで、自転速度を自由に設定することができる。
【００１３】
図５は、上記回転装置による平面ディスプレイ２の動きを説明するもので、上記自転出力ギヤ１０の自転により平面ディスプレイ２が回動すると同時に、自転出力ギヤ１０の公転により基準シャフト７ａすなわち平面ディスプレイ２の中心部が前方に移動する。その結果、平面ディスプレイ２は、図５に波線で示すように、壁Ｗから前方に移動しながら回動するので、平面ディスプレイ２の端部は壁Ｗに干渉する虞はない。
【００１４】
上記実施例のクラッチプレート７は、減速歯車列５を介して電動モータ４により回転する公転出力ギヤ６により回転駆動されるようになっているが、本発明はこれに限定するものではなく、いずれの駆動手段、例えば手動によってもよい。また、本発明の回転駆動手段は、上記電動モータ４および減速歯車列５に限定するものではない。
【図面の簡単な説明】
【００１５】
【図１】本発明装置の一実施例を示す平面図（Ａ）および正面図（Ｂ）である。
【図２】図１のイ−イ線に沿った平面図である。
【図３】を示した説明図である。
【図４】図１の装置の作用説明図である。
【図５】従来の装置の説明図である。
【符号の説明】
【００１６】
１    ベース
２    平面ディスプレイ
３    支持軸
４    電動モータ
５    減速歯車列
６    公転出力ギヤ
７    クラッチプレート
７ａ  基準シャフト
８    基準ギヤ
９    アイドルギヤ
１０  自転出力ギヤ
１０ａ  出力シャフト
Ｄ    平面ディスプレイ
Ｗ    壁
【図１】
2007271933.tif 000003
【図２】
2007271933.tif 000004
【図３】
2007271933.tif 000005
【図４】
2007271933.tif 000006
【図５】
2007271933.tif 000007